(57)【要約】【課題】本発明は、コネクタをソケットに固定できる電子装置及びそのコネクタ固定装置を提供することを目的とする。【解決手段】本発明に係るコネクタ固定装置は、ソケットに挿入されるコネクタを固定し、装着片及び定位部品を備える。定位部品は、装着片における第一位置と第二位置との間でスライド可能となるように装着片に装着され、定位部品が第一位置に固定されると、コネクタはソケットに挿入可能であり、定位部品が第二位置に固定されると、定位部品はソケットに向けてコネクタを押圧する。【選択図】図７
2014146594.tif 000002
【特許請求の範囲】
【請求項１】
装着片と、
定位部品と、
を備え、ソケットに挿入されるコネクタを固定するコネクタ固定装置であって、
前記定位部品は、前記装着片における第一位置と第二位置との間でスライド可能となるように前記装着片に装着され、前記定位部品が前記第一位置に固定されると、前記コネクタは前記ソケットに挿入可能であり、前記定位部品が前記第二位置に固定されると、前記定位部品は前記ソケットに向けて前記コネクタを押圧することを特徴とするコネクタ固定装置。
【請求項２】
前記第一位置には第一定位孔が設けられ、前記第二位置には第二定位孔が設けられ、前記定位部品には、第一突起部及び第二突起部が突設され、前記第一突起部は前記第一定位孔に係合されて前記定位部品を前記第一位置に固定し、前記第二突起部は前記第二定位孔に係合されて前記定位部品を前記第二位置に固定することを特徴とする請求項１に記載のコネクタ固定装置。
【請求項３】
前記装着片にはスロットが設けられ、前記定位部品は前記スロットにスライド可能に装着されていることを特徴とする請求項１又は２に記載のコネクタ固定装置。
【請求項４】
前記定位部品からは、前記スロットを挿通し且つ前記装着片の前記ソケットと離れる面において前記スロットの両側にスライド可能に当止する２つのフック部が延伸することを特徴とする請求項３に記載のコネクタ固定装置。
【請求項５】
前記フック部は、前記定位部品から垂直に延伸し且つ前記スロットを挿通する延伸部と、前記延伸部の末端から互いに離れるように且つ前記装着片において前記スロットの両側にそれぞれ当止される突出部と、をそれぞれ備えることを特徴とする請求項４に記載のコネクタ固定装置。
【請求項６】
前記定位部品の前記ソケットに隣接する端には、抵抗片が延出し、前記抵抗片の前記ソケットに面する側には、前記コネクタを押圧する抵抗部が突設されていることを特徴とする請求項１から５の何れか一項に記載のコネクタ固定装置。
【請求項７】
底壁と、
前記底壁上に設置されるマザーボードと、
前記マザーボードに設置されるソケットと、
前記コネクタに挿入されるコネクタと、
請求項１から５のいずれか一項に記載のコネクタ固定装置と、
を備える電子装置であって、
装着片は、前記底壁に設置されていることを特徴とする電子装置。
【発明の詳細な説明】
【技術分野】
【０００１】
本発明は、コネクタ固定装置を有する電子装置に関するものである。
【背景技術】
【０００２】
従来の技術において、電子装置に設置されているコネクタは、ソケットに挿入することによって該ソケットと接続されるが、この場合、摩擦力のみによりソケットに固定されるため、振動を受けるとソケットから脱離するという問題が発生している。
【発明の概要】
【発明が解決しようとする課題】
【０００３】
本発明の目的は、前記問題を解決し、コネクタをソケットに固定できる電子装置及びそのコネクタ固定装置を提供することである。
【課題を解決するための手段】
【０００４】
上記目的を達成するために、本発明に係るコネクタ固定装置はソケットに挿入されるコネクタを固定し、装着片及び定位部品を備える。前記定位部品は、前記装着片における第一位置と第二位置との間でスライド可能となるように前記装着片に装着され、前記定位部品が前記第一位置に固定されると、前記コネクタは前記ソケットに挿入可能であり、前記定位部品が前記第二位置に固定されると、前記定位部品は前記ソケットに向けて前記コネクタを押圧する。
【発明の効果】
【０００５】
本発明に係るコネクタ固定装置は、定位部品がソケットに向けてコネクタを押圧するので、コネクタをソケット内に固定できる。
【図面の簡単な説明】
【０００６】
【図１】本発明の実施形態に係る電子装置の分解斜視図である。
【図２】図２に示す電子装置を別の視角から見た分解斜視図である。
【図３】図１に示す電子装置の定位部品の拡大図である。
【図４】図１に示す電子装置の組立斜視図である。
【図５】図２に示す電子装置の組立斜視図である。
【図６】図４に示す電子装置の定位部品の第二突起部が第二定位孔に係合され、抵抗部がコネクタを押圧する状態を示す図である
【図７】図５に示す電子装置を別の視角から見た斜視図である。
【発明を実施するための形態】
【０００７】
図１に示したように、本発明の実施形態に係る電子装置は、ハウジング６００と、回路基板５００と、コネクタ３００と、コネクタ固定装置１００と、を備える。ハウジング６００は、底壁６０２を備える。コネクタ固定装置１００は、定位部品４０及び底壁６０２上に垂直に設置された固定部２０を備える。コネクタ３００は、本体３０２と、本体３０２の一端から突出する接続部３０４と、接続部３０４に接続され且つ本体３０２の他端から延出するワイヤ３０６と、を備える。回路基板５００は、底壁６０２上に設置されており、また、回路基板５００上にはソケット５０２が設けられている。
【０００８】
固定部２０は、装着片２２及び装着片２２の底部から垂直に延伸し且つ底壁６０２のソケット５０２に隣接する箇所に固定された支持片２４を備える。装着片２２のソケット５０２に隣接する端には、ソケット５０２の方向に、且つ底壁６０２に向けて斜め下方に延伸するスロット２５が設けられている。装着片２２において、ソケット５０２の上端及び下端に近い箇所には、第一定位孔２６及び第二定位孔２７がそれぞれ設けられている。また、装着片２２には、スロット２５の両側からソケット５０２と離れるように、２つのガイド片２８がそれぞれ延出している。
【０００９】
図２〜図３を参照すると、定位部品４０は、プラスチックなどの弾性力を有する材料から製造され、抵抗片４１及び抵抗片４１の一端から斜め上方に延伸するスライド片４２を備える。スライド片４２の前側の抵抗片４１と離れる端には、半球状の第一突起部４２２が突設されている。抵抗片４１の前側には、半球状の第二突起部４１２が突設されている。スライド片４２の前側において、第一突起部４２２と第二突起部４１２との間には、二対のフック部４２４が設置されており、この各フック部４２４は、スライド片４２から垂直に延伸する延伸部４２５及び延伸部４２５の末端から対応するフック部４２４と離れるように延伸する突出部４２６と、を備える。突出部４２６の上面は、スライド片４２の方向に、且つ斜め下方へ延伸する斜面４２７が形成されている。スライド片４２の後側には、複数の操作バー４２８が突設されている。抵抗片４１の後側には、複数の抵抗部４１３が突設されている。各抵抗部４１３の末端（抵抗片４１と離れる端）は弧形を呈する。
【００１０】
図４〜図５を参照すると、定位部品４０を固定部２０に装着する際、フック部４２４を、装着片２２の後側からスロット２５に挿通させる。この時、突出部４２６は装着片２２の前側においてスロット２５の両側にそれぞれスライド可能に当止され、抵抗部４１３は、ソケット５０２に面する。
【００１１】
図６〜図７を参照すると、使用する際、操作バー４２８を操作して、定位部品４０をスロット２５に沿って第一定位孔２６に向けてスライドさせる。第一突起部４２２が装着片２２に当接すると、スライド片４２は弾性変形する。第一突起部４２２が第一定位孔２６に対向すると、スライド片４２は弾性復帰し、第一突起部４２２を第一定位孔２６に係合させる。次いで、コネクタ３００の接続部３０４をソケット５０２に挿入した後、操作バー４２８を操作して、定位部品４０をスロット２５に沿って第二定位孔２７に向けてスライドさせる。これにより、第一突起部４２２は第一定位孔２６から退出する。定位部品４０を引き続きスライドさせると、第二突起部４１２は第二定位孔２７に係合される。この時、抵抗部４１３がソケット２５に向けてコネクタ３００の本体３０２の接続部３０４と離れる端を押圧し、コネクタ３００を固定する。
【符号の説明】
【００１２】
１００  コネクタ固定装置
２０  固定部
２２  装着片
２４  支持片
２５  スロット
２６  第一定位孔
２７  第二定位孔
２８  ガイド片
３００  コネクタ
３０２  本体
３０４  接続部
３０６  ワイヤ
４０  定位部品
４１  抵抗片
４１２  第二突起部
４１３  抵抗部
４２  スライド片
４２２  第一突起部
４２４  フック部
４２５  延伸部
４２６  突出部
４２７  斜面
４２８  操作バー
５００  回路基板
５０２  ソケット
６００  ハウジング
６０２  底壁
【図１】
2014146594.tif 000003
【図２】
2014146594.tif 000004
【図３】
2014146594.tif 000005
【図４】
2014146594.tif 000006
【図５】
2014146594.tif 000007
【図６】
2014146594.tif 000008
【図７】
2014146594.tif 000009